(57)【要約】【課題】シャッタの円滑なスライドを確保しつつ、防塵性を向上させたディスクカートリッジを提供する。【解決手段】カートリッジ１は、シャッタ４が開口部３６を閉塞する位置に移動してきたときにシャッタ本体部４３をシャッタ４のシャッタスライド面に押し付けるシャッタ押付手段６と、を備えている。シャッタ押付手段６は、シャッタ４に設けられたばね部材６１と、シェル３に設けられていてシャッタ４が上記開口部３６を閉塞する位置に移動してきたときに上記ばね部材６１を撓ませて、該ばね部材６１に上記シャッタ４をシェルのシャッタスライド面に押し付ける方向のばね力を発生させるばね部材押圧部６２と、で構成されている。【選択図】　図４
2004127329.tif 000002
【特許請求の範囲】
【請求項１】
ディスク状の情報記録媒体と、
上記情報記録媒体を収納したシェルと、
上記シェルに設けた記録及び／又は再生用の開口部を開閉するシャッタ本体部及び該シャッタ本体部の一端部に設けられていて上記シェルのシャッタ組付部にスライド可能に組付けられるシェルへの組付部を有するシャッタと、
上記シャッタが上記開口部を閉塞する位置に移動してきたときに上記シャッタ本体部を上記シャッタスライド面に押し付けるシャッタ押付手段と、
を備えた情報記録媒体カートリッジであって、
上記シャッタ押付手段は、上記シャッタに設けられたばね部材と、上記シェルに設けられていて上記シャッタが上記開口部を閉塞する位置に移動してきたときに上記ばね部材を撓ませて、該ばね部材に上記シャッタをシェルのシャッタスライド面に押し付けるばね部材押圧部と、で構成されている
ことを特徴とする情報記録媒体カートリッジ。
【請求項２】
上記ばね部材は、上記シャッタのシェルへの組付部の一部を切り起こすことにより形成されている
ことを特徴とする請求項１に記載の情報記録媒体カートリッジ。
【請求項３】
上記ばね部材押圧部は、上記シェルのシャッタ組付部上に傾斜状の段差部を介して突出形成されている
ことを特徴とする請求項１に記載の情報記録媒体カートリッジ。
【発明の詳細な説明】
【０００１】
【発明の属する技術分野】
本発明は、相変化型光デイスク等の情報記録媒体を収納した情報記録媒体カートリッジに関するものである。
【０００２】
【従来の技術】
情報記録媒体カートリッジとして、例えば図１３〜図１５に示したものが知られている。図１３は情報記録媒体カートリッジを裏面側から見た斜視図、図１４は断面図、図１５は問題点を示す説明図である。
【０００３】
上記情報記録媒体カートリッジ１０１は、光ディスクや光磁気ディスク等の情報記録媒体（以下、ディスクという）１０２と、該ディスク１０２を回転可能に収納したシェル１０３と、該シェル１０３にスライド可能に取付けられていて、該シェル１０３の裏面に設けた記録及び／又は再生用の開口部（以下、単に開口部という）１０４を開閉するシャッタ１０５とを備えている。
【０００４】
上記シェル１０３は、合成樹脂製の上ハーフ１０３ａと、下ハーフ１０３ｂとからなっていて、これら上ハーフ１０３ａの周壁１０３ｃと、下ハーフ１０３ｂの周壁１０３ｄとを突き合わせて接合することにより形成されている。
【０００５】
上記シャッタ１０５は、矩形状の金属板を略コ字状に折り曲げることにより形成されていて、上記シェル１０３の表裏面を挟むようにして、上記シェル１０３にスライド可能に組み付けられている。
【０００６】
上記シャッタ１０５の他端側（自由端側）は、上記シェル１０３に取付けたシャッタスライドガイド板１０６の下方に潜り込んでいて、浮き上がるのを阻止されている。（例えば、特許文献１参照）
【０００７】
【特許文献１】
特開平１０−３１２６６３号公報（段落番号００１４〜００２０、第２図）
【０００８】
【発明が解決しようとする課題】
ところで、上記従来の情報記録媒体カートリッジ１０１は、シャッタ１０５を円滑にスライドさせるために、図１５に示すように、シャッタ１０５とシェル１０３の間に０．１ｍｍ程度の隙間Ｇが確保されている。
【０００９】
上記隙間Ｇは、シャッタ１０５がスライドする際は勿論のこと、開口部１０４を閉塞している位置においても存在しているために、例えばユーザー等が上記カートリッジ１０１を家庭内に保管したり、或いは持ち運びしている際に、上記隙間Ｇから塵埃等がシェル１０３内に侵入してディスク１０２に付着する虞があった。
【００１０】
特に、高密度、高容量のディスク１０２に塵埃等が付着するとディスク１０２は致命的なダメージを受ける場合がある。このため、高密度、高容量のディスクカートリッジは、より高い防塵性を備えたものが要望される。
【００１１】
上記要望に応えるために上記隙間Ｇを小さくすることが考えられるが、上記隙間Ｇを小さくすればするほど、シャッタ１０５のスライドが円滑に行われ難くなるという問題点がある。
【００１２】
本発明は、シャッタの円滑なスライド性を確保しつつ、防塵性を向上させた情報記録媒体ディスクカートリッジを提供することを目的になされたものである。
【００１３】
【課題を解決するための手段】
本発明は、ディスク状の情報記録媒体と、該情報記録媒体を収納したシェルと、該シェルに設けた記録及び／又は再生用の開口部を開閉するシャッタ本体部及び該シャッタ本体部の一端部に設けられていて上記シェルのシャッタ組付部にスライド可能に組付けるシェルへの組付部を有するシャッタと、該シャッタが上記開口部を閉塞する位置に移動してきたときに上記シャッタ本体部を上記シャッタのシャッタスライド面に押し付けるシャッタ押付手段と、を備えた情報記録媒体カートリッジにおいて、
上記シャッタ押付手段を、上記シャッタに設けられたばね部材と、上記シェルに設けられていて上記シャッタが上記開口部を閉塞する位置の近傍に移動してきたときに上記ばね部材を撓ませて、該ばね部材に上記シャッタをシェルのシャッタスライド面に押し付けるばね部材押圧部と、で構成することにより、
上記シャッタが上記開口部を閉塞する位置に移動してきたときに上記ばね部材のばね力で上記シャッタ本体部を上記シェルのシャッタスライド面に押し付けて上記シェルに設けた記録及び／又は再生用の開口部を密閉するようにした。
【００１４】
【発明の実施の形態】
次に、本発明の第１の実施の形態の情報記録媒体カートリッジを（１）全体の概略構成、（２）ディスクの構成、（３）シェルの構成、（４）シャッタの構成、（５）シャッタ押付手段の構成、（６）ロック部材の構成、（７）作用の各項に分けて順に説明する。
（１）情報記録媒体カートリッジ全体の概略構成
図１は、所謂シャッタを閉じた状態の情報記録媒体カートリッジ（以下、カートリッジという）１を表面側から見た斜視図、図２は同裏面側から見た斜視図、図３はシャッタを開いた状態の斜視図、図４は図１の分解斜視図、図５は図２の分解斜視図である。
【００１５】
上記カートリッジ１は、ディスク状の情報記録媒体（以下、ディスクという）２と、ディスク２を回転可能に収納したカートリッジケース（以下、シェルという）３と、シェル３にスライド可能に取付けられていて、該シェル３の裏面側のシャッタスライド面に設けられた記録及び／又は再生用の開口部（以下、開口部という）３６を開閉するシャッタ４と、シャッタ４を上記開口部３６を閉塞する方向に付勢しているシャッタスプリング５と、シャッタ４が上記開口部３６を閉塞する方向にスライドしてきたときに該シャッタ４を上記シェル４のシャッタスライド面３９ａ（図５参照）に押し付けるシャッタ押付手段６（図４参照）と、上記シャッタ４が上記開口部３６を完全に閉塞する位置にスライドしてきたときに該シャッタ４をロックするロック部材７と、を備えている。
【００１６】
上記シャッタ押付手段６は、上記シャッタ４に設けられたばね部材６１と、シェル３に設けられていて上記シャッタ４が上記開口部３６を閉塞する位置の近傍に移動してきたときに上記ばね部材６１を撓ませて、該ばね部材６１に上記シャッタ４を上記シェル３のシャッタスライド面３９ａに押し付ける方向のばね力を発生させるばね部材押圧部６２と、で構成されている。
【００１７】
図１に示すように、上記カートリッジ１は、前面側（第１の外周壁３３ａ側）が円弧状になっていて、該前面側から記録及び／又は再生装置（以下、ドライブ装置と称する）のカートリッジホルダ２０１に挿入される。
【００１８】
上記カートリッジ１は、上記カートリッジホルダ２０１に挿入されると、該カートリッジホルダ２０１の一側部に設けたシャッタ開放部材２０２が上記前面側に連続する第２の外周壁３３ｂ側に設けたシャッタ開放部材ガイド部３７に導入され、上記シャッタ開放部材２０２が先ず上記ロック部材７を押圧操作してシャッタ４のロックを解除したのち、上記シャッタ４の端部に当接して、該シャッタ４を上記シャッタスプリング５のバネ力に抗してスライドさせて、上記開口部３６を開放するようになっている。
（２）ディスクの構成
図４、図５に示すように、上記ディスク２は、円盤状の記録媒体本体部２１と、該記録媒体本体部２１の中央部に設けられた孔２１ａに取付けられたセンターハブ２２を有している。
【００１９】
上記記録媒体本体部２１は、例えば図６に示すように、ポリカーボネート（ＰＣ）の基板２３の一側面に記録層２４を設け、該記録層２４を保護層２５で保護することにより形成されている。上記ディスク２は、センターハブ２２がドライブ装置のターンテーブルにチャッキングされ、上記記録層２４にドライブ装置の光学ピックアップ装置によって記録及び／又は再生が可能になる。上記記録媒体本体部２１は、数ＧＢ〜５０ＧＢ（ギガバイト）の高容量に形成されている。
（３）シェルの構成
上述したように、上記シェル３は、上ハーフ３１と、下ハーフ３２と、からなっている。上記上ハーフ３１は、平板状に形成されている。図４に示すように、上記下ハーフ３２は、周縁部に第１〜第４の外周壁３３ａ〜３３ｄを備えていて、これら下ハーフ３２の第１〜第４の外周壁３３ａ〜３３ｄが上記シェル３の外周壁を構成している。
【００２０】
上記下ハーフ３２は、上記外周壁３３ａ〜３３ｄの内周側に略円形状の内周壁３４を備えている。上記内周壁３４の内側は、円形状のディスク収納部３５になっていて、該ディスク収納部３５内に上記ディスク２が回転自在に収納される。
【００２１】
上記ディスク収納部３５は、上記ディスク２のセンターハブ２２及び記録媒体本体部２１の一部を外部に臨ませる記録及び／又は再生用の開口部３６を中央部に備えている。
【００２２】
また、上記下ハーフ３２は、円弧状の第１の外周壁３３ａの一端部に連続する第２の外周壁３３ｂにドライブ装置に設けたシャッタ開放部材２０２（図１参照）が導入されるシャッタ開放部材ガイド部３７を備えているとともに、該シャッタ開放部材ガイド部３７に連続してシャッタ組付部３８を備えている。
【００２３】
上記シャッタ組付部３８は、上記シャッタ４が上記開口部３６を閉塞する方向に移動してきて、上記開口部３６の近傍にきたときに、上記シャッタ４に設けたばね部材６１を撓ませて、該ばね部材６１に上記シャッタ４を上記シェル３のシャッタスライド面に押し付ける方向のばね力を発生させるばね部材押圧部６２を備えている。
【００２４】
上記ばね部材押圧部６２は、上記シャッタ組付部３８上に傾斜状の段差部６３を介して突設されている。
【００２５】
また、図５に示すように、上記下ハーフ３２は、底面側に次に説明するシャッタ４の肉厚と略同じ深さのシャッタ組付凹部３９を備えていて、該シャッタ組付凹部３９の内面がシャッタスライド面（シャッタスライドエリア）３９ａになっている。
【００２６】
上記シャッタ組付凹部３９は、上記第２の外周壁３３ｂ側の側部に、上記シャッタ４に切り起こし形成されたスライドガイド片４７が係合するシャッタスライドガイド溝３９ｂを備えているとともに、上記第３の外周壁３３ｃ側の側部に、上記シャッタ４のシャッタ本体部４３の一端部に設けた段差状の折曲段部４５を挿入するシャッタ端部挿入凹部３９ｃを備えている。
【００２７】
また、図４に示すように、上記下ハーフ３２は、上記第１〜第４の外周壁３３ａ〜３３ｄの先端部（上端部）の内周側に、上記上ハーフ３１を嵌合する上ハーフ取付部４０を備えている。上記上ハーフ取付部４０に嵌合された上ハーフ３１を下ハーフ３２へ結合（接合）は、超音波や熱を利用しての樹脂溶着或いは紫外線硬化性接着剤等の接着剤を使用して接着することにより行われる。
（４）シャッタの構成
図４、図５に示すように、上記シャッタ４は、上記開口部３６を完全に閉塞できるように該開口部３６よりもやや大き目で、且つ開口部３６と略相似形に形成されたシャッタ本体部４３と、該シャッタ本体部４３の長さ方向の一端部に設けられたシェル３への組付部４４と、上記シャッタ本体部４３の長さ方向の他端部に設けられていて、上記下ハーフ３２のシャッタ端部挿入凹部３９ｃ内に挿入される折曲段部４５とを備えている。
【００２８】
上記シェル３への組付部４４は、上記シャッタ本体部４３の一端部に略直角に連設された第１折曲部４４ａと、該第１折曲部４４ａの先端にシャッタ本体部４３側に重なり合う方向に略直角に連設された第２折曲部４４ｂ，第３折曲部４４ｃ，第４折曲部４４ｄ，第５折曲部４４ｅと、で構成されている。上記第４折曲部４４ｄは、ロック部材７が係合するロック部材係合部になっている。そして、上記第４折曲部４４ｄに、上記ばね部材６１が設けられている。
【００２９】
図１に示すように、上記シャッタ４は、上記シャッタ本体部４３と上記第２〜第５折曲部４４ｂ〜４４ｅ等との間で上記下ハーフ３２のシャッタ組付部３８を挟み込み込むようにしてシェル３に組付けられていると共に、図２に示すように、上記シャッタ本体部４３に切り起こし形成したスライドガイド片４７が上記下ハーフ３２に設けたシャッタスライドガイド溝３９ｂに係合している。また、上記シャッタ４の他端側の折曲段部４５は、上記下ハーフ３２に設けたシャッタ端部挿入凹部３９ｃ内に挿入されている。
【００３０】
そして、上記下ハーフ３２のシャッタスライドガイド取付凹部４８に取付けられたシャッタスライドガイド（シャッタ浮き上がり防止板）４９により、上記シャッタ４の折曲段部４５側が浮き上がるのを阻止される。
（５）シャッタ押付手段の構成
上述したように、シャッタ押付手段６は、シャッタ４に設けられたばね部材６１と、シェル３に設けられていてシャッタ４が上記開口部３６を閉塞する位置に移動してきたときに上記ばね部材６１を撓ませて、該ばね部材６１に上記シャッタ４をシェル３のシャッタスライド面３９ａに押し付ける方向のばね力を発生させるばね部材押圧部６２と、で構成されている。
【００３１】
図７に示すように、上記ばね部材６１は、上記第４折曲部４４ｄの中央部を略Ｕ字状に切り欠いて、その内側の舌片を下方に向けて略Ｖ字状に折り曲げることにより形成されている。６１ａは、上記ばね部材６１の略Ｖ字状の折曲部の頂部である。
【００３２】
図８に示すように、上記ばね部材６１の略Ｖ字状の折曲部の頂部６１ａから上記シャッタ本体部４３までの間隔Ｄは、図９に示す上記シェル３のシャッタ組付部３８のばね部材押圧部６２を設けた部分の肉厚Ｔ１よりも小で、且つ上記シェル３のシャッタ組付部３８のばね部材押圧部６２及び段差部６３以外の部分６４の肉厚Ｔ２よりも大になるように形成されている。
【００３３】
上記ばね部材押圧部６２は、上記シャッタ組付部３８の開口部３６側の端部を突出させることにより形成されている。そして、上記シャッタ４が開口部３６を閉塞する方向に移動してきたときに、図１０に示すように、上記略Ｖ字状の折曲部の頂部６１ａを当てて、上記ばね部材６１を撓ませて、該ばね部材６１に上記シャッタ本体部４３を上記シェル３のシャッタスライド面３９ａに押し付ける方向のばね力を発生させるようになっている。
（６）ロック部材の構成
図４に示すように、ロック部材７は、一端側に軸受孔７１を有していて、該軸受孔７１に上記下ハーフ３２に設けた軸３２ａを挿入することにより、上記下ハーフ３２に回動可能に取付けられている。
【００３４】
上記ロック部材７は、他端側（自由端側）に上記シャッタ４に設けたロック部材係合部４４ｃが係合する係合凹部７２を備えている。上記ロック部材７は、バネ部７３によってロック方向（反時計方向）の回動力を付与されている。上記バネ部７３は、合成樹脂によってロック部材７と一体に形成されている。
【００３５】
上記ロック部材７は、上記シャッタ４が上記開口部３６を閉塞する方向にスライドしてきたときに、上記シャッタ４に設けたロック部材係合部４４ｃが先端の傾斜面７４に当接して、上記バネ部７３のバネ力に抗してロック解除方向（逃げ方向）に回動する。
【００３６】
そして、上記シャッタ４に設けた上記第４折曲部（ロック部材係合部）４４ｄが上記係合凹部７２の位置までスライドしてくると、上記ロック部材６は、バネ部７３のバネ力でロック方向に回動し、上記係合凹部７２内に上記第３折曲部（ロック部材係合部）４４ｃが係合して、上記シャッタ４を上記開口部３６を閉塞した位置にロックするようになっている。
（７）作用
図１に示すように、上記シャッタ本体部４３が上記開口部３６の位置にあるときには、図１０に示すように、上記ばね部材６１の略Ｖ字状の折曲部の頂部６１ａが上記シェル３に設けたばね部材押圧部６２に乗り上げて上記ばね部材６１は、撓んで付勢力Ｆを発生し、上記シャッタ本体部４３を上記シェル３のシャッタガイド面に圧着させて上記開口部３６を密閉している。
【００３７】
そして、上記カートリッジ１をドライブ装置のカートリッジ２０１に挿入すると、該カートリッジ２０１に設けたシャッタ開放部材２０２が上記カートリッジ１に設けたシャッタ開放部材ガイド部３７に導入され、上記シャッタ開放部材２０２が先ず上記ロック部材７を押圧操作して、ロック部材７によるシャッタ４のロックを解除する。カートリッジ２０１を更に挿入すると、上記シャッタ開放部材２０２がシャッタ４の第１折曲部４４ａの端部に当接して、上記シャッタ４を上記シャッタスプリング５のバネ力に抗して上記開口部３６を開放する方向にスライドさせる。
【００３８】
上記シャッタ４が上記開口部３６を開放する方向に所定量移動すると、図１１に示すように、上記ばね部材６１の略Ｖ字状の折曲部の頂部６１ａが上記ばね部材押圧部６２から段差部６３を介してシャッタ組付部３８の上記ばね部材押圧部６２以外の部分６４に移動する。
【００３９】
上記ばね部材押圧部６２以外の部分６４は、上記ばね部材６１の略Ｖ字状の折曲部の頂部６１ａから上記シャッタ本体部４３までの間隔Ｄよりも小に形成されているので、上記ばね部材６１の撓みは解除される。
【００４０】
従って、上記シャッタ本体部４３と上記シェル３のシャッタスライド面３９ａとの間には所定の隙間Ｇ（Ｄ−Ｔ２）が発生し、両者は非接触状態になり、上記シャッタ４は、上記開口部３６を完全に開放する位置まで円滑にスライドする。
【００４１】
そして、上記開口部３６が開放されると、該開口部３６を介して、上記ディスク２のセンターハブ２２は、ドライブ装置のターンテーブルにチャッキングされて回転されると共に、光学ピックアップにより、上記ディスク２の第１の記録媒体２６の記録層２４への記録及び／又は再生が行われる。
【００４２】
記録及び／又は再生終了後、上記カートリッジ１がドライブ装置から排出されると、上記シャッタ４は、上記下ハーフ３３の開口部３６を閉塞する位置に移動して、上記シャッタ押付手段６によってシャッタ本体部４３が上記シェル３のシャッタスライド面３９ａに押し付けられると共に、上記シャッタ４は、上記ロック部材７によってロックされた状態になるのである。
【００４３】
なお、上記実施例では、上記ばね部材押圧部６２を傾斜状の段差部６３を介してシャッタ組付部３８に連続させる場合を示したが、図１２に示すように、上記ばね部材押圧部６２全体を傾斜状にすることにより上記段差部６３を無くす構成にしてもよい。また、上記実施例では、上記ばね部材６１の略Ｖ字状の折曲部の頂部６１ａから上記シャッタ本体部４３までの間隔Ｄを、上記シェル３のシャッタ組付部３８のばね部材押圧部６２を設けた部分の肉厚Ｔ１よりも小で、且つ上記シェル３のシャッタ組付部３８のばね部材押圧部６２以外の部分６４の肉厚Ｔ２よりも大になるように形成し、上記シャッタ４が開口部３６を閉塞する方向に移動してきたときに、上記略Ｖ字状の折曲部の頂部６１ａを上記ばね部材押圧部６２に当てて、初めて上記ばね部材６１に上記シャッタ本体部４３を上記シェル３のシャッタスライド面３９ａに押し付ける方向のばね力Ｆを発生させるようにした場合を示したが、上記ばね部材６１の略Ｖ字状の折曲部の頂部６１ａから上記シャッタ本体部４３までの間隔Ｄを、上記シェル３のシャッタ組付部３８のばね部材押圧部６２以外の部分６４の肉厚Ｔ２と略等しい値或いは僅かに小になるように形成し、シャッタ４が開口部３６を開放している位置にある場合においても、シャッタ４を軽くシャッタスライド面３９ａに接触させておく構成にしてもよい。
【００４４】
【発明の効果】
本発明の情報記録媒体カートリッジには次に述べるような効果がある。
（１）請求項１の情報記録媒体カートリッジは、シャッタが上記開口部を閉塞する位置に移動してきたときにシャッタに設けたばね部材をシェルに設けたばね部材押圧部で撓ませて、そのばね力でシャッタをシェルのシャッタスライド面に接触させてカートリッジの防塵効果を向上させることができる。また、シャッタの開方向へのスライド時には、上記ばね部材押圧部によるばね部材の撓み解除して、シャッタをシャッタスライド面から離してシャッタを円滑にスライドさせることができる。
（２）請求項２の情報記録媒体カートリッジは、ばね部材を、シャッタのシェルへの組付部の一部を切り起こすことにより形成したので、部品点数や組付工数の増加を防ぐことができる。
（３）請求項３の情報記録媒体カートリッジは、シェルのシャッタ組付部に傾斜状の段差部を介して連続的にばね部材押圧部を形成したので、ばね部材を円滑に移動させることができる。
【図面の簡単な説明】
【図１】カートリッジを表面側から見た斜視図（シャッタ閉状態）。
【図２】カートリッジを裏面側から見た斜視図（シャッタ閉状態）。
【図３】カートリッジを裏面側から見た斜視図（シャッタ開状態）。
【図４】カートリッジを表面側から見た分解斜視図。
【図５】カートリッジを裏面側から見た分解斜視図。
【図６】ディスクの断面図。
【図７】シャッタの斜視図。
【図８】図７のＡ−Ａ断面図。
【図９】シャッタ組付部の断面図。
【図１０】（ａ）はシャッタが開口部を閉塞する位置に移動した状態の断面図、（ｂ）は要部の拡大図。
【図１１】（ａ）はシャッタが開口部を閉塞する位置に移動した状態の断面図、（ｂ）は要部の拡大図。
【図１２】ばね部材押圧部の他の実施例を示す断面図。
【図１３】従来例の斜視図。
【図１４】従来例の断面図。
【図１５】従来例の問題点を示す説明図。
【符号の説明】
１…カートリッジ、２…ディスク、３…シェル、４…シャッタ、５…シャッタスプリング、６…シャッタ押付手段、３６…開口部、３８…シャッタ組付部、６１…ばね部材、６２…ばね部材押圧部、６３…段差部。
【図１】
2004127329.tif 000003
【図２】
2004127329.tif 000004
【図３】
2004127329.tif 000005
【図４】
2004127329.tif 000006
【図５】
2004127329.tif 000007
【図６】
2004127329.tif 000008
【図７】
2004127329.tif 000009
【図８】
2004127329.tif 000010
【図９】
2004127329.tif 000011
【図１０】
2004127329.tif 000012
【図１１】
2004127329.tif 000013
【図１２】
2004127329.tif 000014
【図１３】
2004127329.tif 000015
【図１４】
2004127329.tif 000016
【図１５】
2004127329.tif 000017